(57)【要約】【課題】部屋を広く使えるとともに、吸音性を確実に向上させることができ、快適な居住環境を形成することが可能な吸音天蓋ユニットおよび吸音天蓋ユニットの設置構造を提供することを目的とする。【解決手段】部屋１内の所定の場所に設置されており、床面２に対して垂直に配置される吸音壁部１１と、この吸音壁部１１の上端部から水平方向に延出して設けられる吸音天井部１２とを備えており、天蓋内側面１０ａに吸音材１３が取り付けられており、天蓋外側面１０ｂに吸音材１４が取り付けられている吸音天蓋ユニット１０。この吸音天蓋ユニットによって、部屋内の所定の場所付近の音を、天蓋内側面に取り付けられた吸音材と天蓋外側面に取り付けられた吸音材とによって吸収することができる。また、従来のような箱状の防音寝室とは異なり、部屋を必要以上に圧迫することがない。【選択図】図１
2010189917.tif 000002
【特許請求の範囲】
【請求項１】
部屋内の所定の場所に設置される吸音天蓋ユニットであって、
床面に対して垂直に配置される吸音壁部と、この吸音壁部の上端部から水平方向に延出して設けられる吸音天井部とを備えており、
前記吸音天井部の下面と、この吸音天井部の下面に連続する前記吸音壁部の一側面とからなる天蓋内側面に吸音材が取り付けられており、
前記吸音天井部の上面と、この吸音天井部の上面に連続する前記吸音壁部の他側面とからなる天蓋外側面に吸音材が取り付けられていることを特徴とする吸音天蓋ユニット。
【請求項２】
請求項１に記載の吸音天蓋ユニットにおいて、
前記天蓋内側面に取り付けられる吸音材は中高音域の音を吸収するものであり、
前記天蓋外側面に取り付けられる吸音材は低音域の音を吸収するものであることを特徴とする吸音天蓋ユニット。
【請求項３】
請求項１または２に記載の吸音天蓋ユニットにおいて、
前記吸音天井部の上面の周縁部に照明装置が設けられていることを特徴とする吸音天蓋ユニット。
【請求項４】
請求項１〜３のいずれか一項に記載の吸音天蓋ユニットにおいて、
前記吸音天井部には、テレビモニター等の映像表示装置が設けられており、
この映像表示装置は、前記吸音天井部に沿って水平な状態から前記吸音壁部に沿って垂直な状態までの間で角度調整自在に設定されていることを特徴とする吸音天蓋ユニット。
【請求項５】
請求項１〜４のいずれか一項に記載の吸音天蓋ユニットは、前記吸音天井部がベッド・布団等の寝具が設置された場所の上方に位置するようにして前記部屋内に設置されていることを特徴とする吸音天蓋ユニットの設置構造。
【請求項６】
請求項１〜４のいずれか一項に記載の吸音天蓋ユニットは、前記吸音天井部がソファ・椅子等の腰掛けが設置された場所の上方に位置するようにして前記部屋内に設置されていることを特徴とする吸音天蓋ユニットの設置構造。
【請求項７】
請求項５または６に記載の吸音天蓋ユニットの設置構造において、
前記吸音壁部は、前記部屋の壁に沿って、かつ、この壁から所定間隔離間して配置されており、
前記吸音天井部は、前記部屋の天井に沿って、かつ、この天井から所定間隔離間して配置されていることを特徴とする吸音天蓋ユニットの設置構造。
【発明の詳細な説明】
【技術分野】
【０００１】
本発明は、部屋内の所定の場所に設置される吸音天蓋ユニットおよび吸音天蓋ユニットの設置構造に関する。
【背景技術】
【０００２】
隣室や廊下等からの音を遮断したり、部屋内で発せられる音を吸収するなどして、この部屋内の静寂性を高めたいという要望があった。しかしながら、部屋全体の壁や天井・床に吸音材を仕込むとなると、コストが高い。
そこで、特許文献１に記載のように、部屋内に箱状の防音寝室を設置して、騒音に邪魔されることなく安眠できる環境を形成できる技術が開発されている（例えば、特許文献１参照）。
【先行技術文献】
【特許文献】
【０００３】
【特許文献１】特開平１１−２８７０５２号公報
【発明の概要】
【発明が解決しようとする課題】
【０００４】
ところが、特許文献１のような防音寝室は大掛かりなものであり、部屋内スペースの占有率が高く、閉塞感や圧迫感を受ける場合がある。そこで、部屋を広く使えるとともに、吸音性を確実に向上させることができ、快適な居住環境を形成することが可能な技術の開発が望まれていた。
【０００５】
本発明の課題は、部屋を広く使えるとともに、吸音性を確実に向上させることができ、快適な居住環境を形成することが可能な吸音天蓋ユニットおよび吸音天蓋ユニットの設置構造を提供することを目的とする。
【課題を解決するための手段】
【０００６】
請求項１に記載の発明は、例えば図１〜図３に示すように、部屋１内の所定の場所に設置される吸音天蓋ユニット１０であって、
床面２に対して垂直に配置される吸音壁部１１と、この吸音壁部１１の上端部から水平方向に延出して設けられる吸音天井部１２とを備えており、
前記吸音天井部１２の下面と、この吸音天井部１２の下面に連続する前記吸音壁部１１の一側面とからなる天蓋内側面１０ａに吸音材１３が取り付けられており、
前記吸音天井部１２の上面と、この吸音天井部１２の上面に連続する前記吸音壁部１１の他側面とからなる天蓋外側面１０ｂに吸音材１４が取り付けられていることを特徴とする。
【０００７】
請求項１に記載の発明によれば、床面２に対して垂直に配置される吸音壁部１１と、この吸音壁部１１の上端部から水平方向に延出して設けられる吸音天井部１２とを備えており、前記吸音天井部１２の下面と、この吸音天井部１２の下面に連続する前記吸音壁部１１の一側面とからなる天蓋内側面１０ａに吸音材１３が取り付けられており、前記吸音天井部１２の上面と、この吸音天井部１２の上面に連続する前記吸音壁部１１の他側面とからなる天蓋外側面１０ｂに吸音材１４が取り付けられているので、前記部屋１内の所定の場所付近の音を、前記天蓋内側面１０ａに取り付けられた吸音材１３と前記天蓋外側面１０ｂに取り付けられた吸音材１４とによって吸収することができる。また、従来のような箱状の防音寝室とは異なり、部屋１を必要以上に圧迫することがない。
これによって、従来に比して、部屋１を広々と利用することができるとともに、周囲の吸音性を確実に向上させることができ、快適な居住環境を形成することが可能となる。
【０００８】
請求項２に記載の発明は、例えば図１〜図３に示すように、請求項１に記載の吸音天蓋ユニット１０において、
前記天蓋内側面１０ａに取り付けられる吸音材１３は中高音域の音を吸収するものであり、
前記天蓋外側面１０ｂに取り付けられる吸音材１４は低音域の音を吸収するものであることを特徴とする。
【０００９】
請求項２に記載の発明によれば、前記天蓋内側面１０ａに取り付けられる吸音材１３は中高音域の音を吸収するものであることから、前記部屋１内の所定の場所付近の中高音域の音を前記吸音材１３によって確実に吸音することができる。
また、前記天蓋外側面１０ｂに取り付けられる吸音材１４は低音域の音を吸収するものであることから、前記部屋１内の所定の場所付近の低音域の音を前記吸音材１４によって確実に吸音することができる。
これによって、前記部屋１内の所定の場所付近の音を前記吸音材１３および吸音材１４によって確実に吸音することができ、より快適な居住環境を形成することが可能となる。
【００１０】
請求項３に記載の発明は、例えば図１および図２に示すように、請求項１または２に記載の吸音天蓋ユニット１０において、
前記吸音天井部１２の上面の周縁部に照明装置１５が設けられていることを特徴とする。
【００１１】
請求項３に記載の発明によれば、前記吸音天井部１２の上面の周縁部に照明装置１５が設けられているので、例えば前記吸音天井部１２が部屋１の天井付近の高さに設けられることで、この照明装置１５を間接照明として利用することができる。
【００１２】
請求項４に記載の発明は、例えば図１および図２に示すように、請求項１〜３のいずれか一項に記載の吸音天蓋ユニット１０において、
前記吸音天井部１２には、テレビモニター等の映像表示装置１６が設けられており、
この映像表示装置１６は、前記吸音天井部１２に沿って水平な状態から前記吸音壁部１１に沿って垂直な状態までの間で角度調整自在に設定されていることを特徴とする。
【００１３】
請求項４に記載の発明によれば、前記吸音天井部１２に設けられた映像表示装置１６は、前記吸音天井部１２に沿って水平な状態から前記吸音壁部１１に沿って垂直な状態までの間で角度調整自在に設定されているので、前記吸音天井部１２の下方にいる人が立った状態や寝た状態で前記映像表示装置１６に表示される映像を鑑賞することができる。
また、前記映像表示装置１６は、この映像表示装置１６に映像を表示することによって、この映像表示装置１６を照明手段として利用することもできる。
【００１４】
請求項５に記載の発明は、吸音天蓋ユニット１０の設置構造であって、例えば図１および図２に示すように、請求項１〜４のいずれか一項に記載の吸音天蓋ユニット１０は、前記吸音天井部１２がベッド・布団等の寝具５が設置された場所の上方に位置するようにして前記部屋１内に設置されていることを特徴とする。
【００１５】
請求項５に記載の発明によれば、前記吸音天蓋ユニット１０は、前記吸音天井部１２がベッド・布団等の寝具５が設置された場所の上方に位置するようにして前記部屋１内に設置されているので、前記天蓋内側面１０ａに取り付けられた吸音材１３と前記天蓋外側面１０ｂに取り付けられた吸音材１４とによって、この寝具５の周囲の音を吸音することができ、この寝具５を利用する人の睡眠環境を快適なものとすることができる。
【００１６】
請求項６に記載の発明は、吸音天蓋ユニット１０の設置構造であって、請求項１〜４のいずれか一項に記載の吸音天蓋ユニット１０は、前記吸音天井部１２がソファ・椅子等の腰掛けが設置された場所の上方に位置するようにして前記部屋１内に設置されていることを特徴とする。
【００１７】
請求項６に記載の発明によれば、前記吸音天蓋ユニット１０は、前記吸音天井部１２がソファ・椅子等の腰掛けが設置された場所の上方に位置するようにして前記部屋１内に設置されているので、前記天蓋内側面１０ａに取り付けられた吸音材１３と前記天蓋外側面１０ｂに取り付けられた吸音材１４とによって、この腰掛けの周囲の音を吸音することができ、この腰掛けを利用する人の居住環境を快適なものとすることができる。
【００１８】
請求項７に記載の発明は、例えば図１および図３に示すように、請求項５または６に記載の吸音天蓋ユニット１０の設置構造において、
前記吸音壁部１１は、前記部屋１の壁３に沿って、かつ、この壁３から所定間隔離間して配置されており、
前記吸音天井部１２は、前記部屋１の天井４に沿って、かつ、この天井４から所定間隔離間して配置されていることを特徴とする。
【００１９】
請求項７に記載の発明によれば、前記吸音壁部１１は、前記部屋１の壁３に沿って、かつ、この壁３から所定間隔離間して配置されているので、前記吸音壁部１１と壁３との間に空気層を形成することができる。
また、前記吸音天井部１２は、前記部屋１の天井４に沿って、かつ、この天井４から所定間隔離間して配置されているので、前記吸音天井部１２と天井４との間に空気層を形成することができる。
このような空気層が、前記吸音壁部１１と壁３との間と、前記吸音天井部１２と天井４との間とに形成されるので、これら空気層によって音の伝達を軽減することができる。
特に、低音域の音は、中高音域の音に比して波長が長く、障害物の裏側に回りこむ性質を備えているため、この空気層と前記天蓋外側面１０ｂに取り付けられた吸音材１４とによって、より高い吸音効果を発揮することができる。
【発明の効果】
【００２０】
本発明によれば、床面に対して垂直に配置される吸音壁部と、この吸音壁部の上端部から水平方向に延出して設けられる吸音天井部とを備えており、吸音天井部の下面と、この吸音天井部の下面に連続する吸音壁部の一側面とからなる天蓋内側面に吸音材が取り付けられており、吸音天井部の上面と、この吸音天井部の上面に連続する吸音壁部の他側面とからなる天蓋外側面に吸音材が取り付けられているので、部屋内の所定の場所付近の音を、天蓋内側面に取り付けられた吸音材と天蓋外側面に取り付けられた吸音材とによって吸収することができる。また、従来のような箱状の防音寝室とは異なり、部屋を必要以上に圧迫することがない。
これによって、従来に比して、部屋を広々と利用することができるとともに、周囲の吸音性を確実に向上させることができ、快適な居住環境を形成することが可能となる。
【図面の簡単な説明】
【００２１】
【図１】本発明に係る吸音天蓋ユニットおよび部屋を示す側断面図である。
【図２】本発明に係る吸音天蓋ユニットおよび部屋を示す平面図である。
【図３】図１に示す吸音天蓋ユニットの吸音壁部の一部を示す拡大側断面図である。
【発明を実施するための形態】
【００２２】
以下、図面を参照して本発明の実施の形態について説明する。
なお、本実施の形態において説明する部屋を備える建物は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２３】
図１は本発明に係る吸音天蓋ユニットの一例を示す側断面図である。
図１において符号１０は、吸音天蓋ユニットを示す。この吸音天蓋ユニット１０は、部屋１の床面２に対して垂直に配置される吸音壁部１１と、この吸音壁部１１の上端部から水平方向に延出して設けられる吸音天井部１２とを備えている。
また、前記吸音天井部１２の下面と、この吸音天井部１２の下面に連続する前記吸音壁部１１の一側面とからなる天蓋内側面１０ａに吸音材１３が取り付けられており、前記吸音天井部１２の上面と、この吸音天井部１２の上面に連続する前記吸音壁部１１の他側面とからなる天蓋外側面１０ｂに吸音材１４が取り付けられている。
なお、前記吸音天蓋ユニット１０は、前記吸音天井部１２がベッド５が設置された場所の上方に位置するようにして前記部屋１内に設置されている。したがって、前記部屋１は寝室として利用できるようになっている。
【００２４】
ここで、前記部屋１は、図１および図２に示すように、前記床面２と、この床面２上に立設される四方の壁３，６，７，８と、前記床面２の上方に位置する天井４とによって囲まれた空間を指している。
前記壁３には、前記部屋１と外部とを連通する出入用の開口部３ａが形成されており、この開口部３ａには、この開口部３ａを開閉するドア３ｂが設けられている。また、この壁３と対向する壁６には屋外に面する両開き窓６ａが設けられており、これら壁３および壁６の側端部間に配置される壁７には屋外に面する片開き窓７ａが設けられている。
【００２５】
前記吸音壁部１１は、図１〜図３に示すように、前記床面２に対して垂直に配置されるとともに、この床面２上に立設される矩形状の下地板材１１ａと、前記部屋１の壁３に、この壁３から突出するようにして複数取り付けられるとともに、突出端部が前記下地板材１１ａの裏面に固定される突出材１１ｂとを備えている。
【００２６】
この下地板材１１ａは、前記壁３に沿って、かつ前記突出材１１ｂによって前記壁３から所定間隔離間して配置されており、この下時板材１１ａと壁３との間に空気層を形成できるようになっている。このような空気層が、前記吸音壁部１１と壁３との間に形成されるので、この空気層によって音の伝達を軽減することができる。
また、前記下地板材１１ａの室内側面には前記吸音材１３が取り付けられており、この室内側面の裏側面には前記吸音材１４が取り付けられている。
特に、低音域の音は、中高音域の音に比して波長が長く、障害物の裏側に回りこむ性質（音の回折）を備えているため、この空気層と前記吸音材１４とによって、高い吸音効果を発揮することができる。
【００２７】
さらに、図２に示すように、この下地板材１１ａの裏側面の左右両端部には、上下方向に沿って外側目隠し材１１ｃがそれぞれ取り付けられており、これら外側目隠し材１１ｃよりも内側の前記壁３の表面には、上下方向に沿って内側目隠し材１１ｄが取り付けられている。
【００２８】
このように交互に突出するように配置される外側目隠し材１１ｃと内側目隠し材１１ｄとによって、前記下地板材１１ａの裏側との空気の流通性を確保しながら、この下地板材１１ａの裏側の空気層への視線を遮ることができるようになっている。また、双方の外側目隠し材１１ｃ，１１ｃの空気層側に位置する下地板材１１ａの裏側面に、図示しない照明装置を設けることによって間接照明とすることも可能である。
【００２９】
前記突出材１１ｂは、一端部が前記壁３に固定され、他端部が前記下地板材１１ａに固定される形態のものであり、単に木材等を用いてもよいし、前記壁３から突出するボルト等を用いてもよい。
本実施の形態においては、前記下地板材１１ａが前記床面２上に立設された状態となっているので、木材を用いて、前記空気層を形成する役割を担うものとする。
なお、前記下地板材１１ａを前記床面２上に立設せずに、所定の高さ位置に配置する場合には、前記壁３から突出するようにして設けられたボルト等を用いることが望ましい。例えば、前記下地板材１１ａにボルト挿通孔を形成しておき、ボルトに、下地板材１１ａの壁３側への移動を抑制するストッパーを取り付けた状態で、前記ボルト挿通孔にボルトの先端を挿通させ、さらに、ボルトの先端にナットを螺合する。これにより、ボルトと下地板材１１ａを強固に連結するとともに該下地板材１１ａの移動を抑止しながら、このボルトによって前記下地板材１１ａを所定の高さに支持することができる。
また、前記下地板材１１ａの裏側面には予め吸音材１４を取り付けておくものとする。
【００３０】
前記吸音天井部１２は、図１および図２に示すように、前記吸音壁部１１の上端部から水平方向に延出して設けられる矩形状の下地板材１２ａと、この下地板材１２ａの上面に取り付けられる枠状の野縁１２ｂと、前記下地板材１２ａの上方に位置し、前記天井４に取り付けられる吊木受け１２ｃと、一端部が該吊木受け１２ｃに取り付けられ、他端部が前記野縁１２ｂに取り付けられることによって、前記下地板材１１ａを吊る吊木１２ｄとを備えている。
【００３１】
前記下地板材１２ａは、前記天井４に沿って、かつ前記吊木１２ｄによって前記天井４から所定間隔離間して配置されており、この下時板材１２ａと天井４との間に空気層を形成できるようになっている。このような空気層が、前記吸音天井部１２と天井４との間に形成されるので、この空気層によって音の伝達を軽減することができる。
また、前記下地板材１２ａの下面には前記吸音材１３が取り付けられており、上面には前記吸音材１４が取り付けられている。
特に、低音域の音は、中高音域の音に比して波長が長く、障害物の裏側に回りこむ性質を備えているため、この空気層と前記吸音材１４とによって、高い吸音効果を発揮することができる。
【００３２】
さらに、前記吸音天井部１２の上面の周縁部には照明装置１５が設けられている。
また、前記吸音天井部の１２の周縁部には、この照明装置１５よりも外側に位置するようにして、前記吸音天井部の１２の周縁部から立ち上がる立ち上がり部１５ａが設けられている。
【００３３】
また、前記吸音天井部１２には、テレビモニター等の映像表示装置１６が設けられている。すなわち、前記下地板材１２ａに開口部１２ｅが形成されており、この開口部１２ｅ内に収まるようにして前記映像表示装置１６が配置されている。
この映像表示装置１６は、前記天井４に取り付けられる天井吊金物１６ａによって吊設されている。また、この天井吊金物１６ａに回転軸１６ｂを介して連結されることで、この映像表示装置１６は、前記吸音天井部１２に沿って水平な状態から前記吸音壁部１１に沿って垂直な状態までの間で角度調整自在に設定されている。
この映像表示装置１６の電源は適宜家庭用電源等で賄うものとし、配線は、前記天蓋外側面１０ｂ側に形成される空気層を利用して設けるようにしてもよい。
【００３４】
なお、前記下地板材１２ａの上面には、前記開口部１２ｅの周縁部に沿って野縁１２ｂが取り付けられるとともに、この野縁１２ｂの上方に位置するようにして前記天井４に吊木受け１２ｃが取り付けられており、これら野縁１２ｂと吊木受け１２ｃとの間に前記吊木１２ｄが設けられている。
【００３５】
前記吸音材１３は、中高音域の音を吸収するものであり、前記吸音材１４は、低音域の音を吸収するものである。
このような吸音材１３，１４として、例えば、アルミニウム等の金属繊維，岩石を原料とするロックウール（岩綿）・高炉スラグを原料とするスラグウール（鉱さい綿）・ガラス繊維を原料とするグラスウールなどの無機質繊維，綿や麻などの植物繊維や羽毛や獣毛などの動物繊維等の有機質繊維（以下繊維類と呼ぶ）が使用される。
この繊維類を、綿状・ボード状・不織布状に成形して繊維と繊維の間に複雑に連続した多くの隙間や気泡を有する部材とすることで吸音性能を発揮することができる。
また、ポリウレタンなどの高分子物質を発泡させた発泡樹脂材料（ウレタンフォーム）を使用してもよい。
本実施の形態においては、前記吸音材１３としてウレタンフォームが用いられており、前記吸音材１４として、グラスウールが用いられている。
【００３６】
前記吸音材１３は、図１および図３に示すようにブロック状を呈しており、ウレタンフォームからなる吸音材本体１３ａと、この吸音材本体１３ａの上端縁と下端縁とに沿ってそれぞれ取り付けられる横桟１３ｂと、前記吸音材本体１３ａの表面から前記横桟１３ｂ，１３ｂの裏面側に巻き込むようにして張設されるとともに前記吸音材本体１３ａの表面を化粧する張地１３ｃと、前記横桟１３ｂ，１３ｂ間に設けられる合板１３ｄとを備えている。
前記吸音材本体１３ａとして用いるウレタンフォームは多孔質体であり、微小な孔部分の空気の摩擦によって音エネルギーを熱エネルギーに変換することで吸音効果を発揮できるようになっている。特に、中高音域の音の吸音性に優れ、厚さを増加することで低音域の音の吸音性も向上できるようになっている。
そして、このようなブロック状の吸音材１３は、前記下地板材１１ａおよび下地板材１２ａに並列して取り付けられている。
【００３７】
また、前記吸音材１４は、グラスウールをボード状に成型したものを用いており、前記下地板材１１ａおよび下地板材１２ａに貼り付けられている。
前記吸音材として用いるグラスウールをボード状に成型したもの、すなわちグラスボードは多孔質体でありながら板状体であり、上述のウレタンフォーム同様の吸音特性を有している。また、前記吸音材１４は、前記空気層に面して設けられているため、前記空気層側に回り込む音波によって振動し、振動による吸音材１４の内部摩擦で音エネルギーを熱エネルギーに変換することで吸音効果を発揮できるようになっている。なお、前記空気層側に回り込む音波は主に低音域のものであるため、特に、低音域の音の吸音性に優れる。
【００３８】
なお、前記壁３に形成される開口部３ａは、図２に示すように、この開口部３ａが設けられる前記壁３の側端部に形成されている。これは、前記部屋１の外部から前記開口部３ａに設けられたドア３ｂを振動させて伝達される外部音の反射距離が遠くなり、前記吸音天井部１２の下方にいる人に聞こえる騒音の軽減が可能となるためである。
【００３９】
また、建物の構築に使用されるパネルは、縦横の框材が矩形状に組み立てられるとともに、矩形枠の内部に補助桟材が縦横に組み付けられて枠体が構成され、図３に示すように、この枠体の両面もしくは片面に、面材３ｃが貼設されたものであり、内部中空な構造となっている。さらに、その内部中空な部分には、通常、グラスウールやロックウール等の断熱材が装填されるものである。したがって、このパネル自体も吸音特性を備えている。
【００４０】
本実施の形態によれば、床面２に対して垂直に配置される吸音壁部１１と、この吸音壁部１１の上端部から水平方向に延出して設けられる吸音天井部１２とを備えており、前記吸音天井部１２の下面と、この吸音天井部１２の下面に連続する前記吸音壁部１１の一側面とからなる天蓋内側面１０ａに吸音材１３が取り付けられており、前記吸音天井部１２の上面と、この吸音天井部１２の上面に連続する前記吸音壁部１１の他側面とからなる天蓋外側面１０ｂに吸音材１４が取り付けられているので、前記部屋１内の所定の場所付近の音を、前記天蓋内側面１０ａに取り付けられた吸音材１３と前記天蓋外側面１０ｂに取り付けられた吸音材１４とによって吸収することができる。また、従来のような箱状の防音寝室とは異なり、部屋１を必要以上に圧迫することがない。
これによって、従来に比して、部屋１を広々と利用することができるとともに、周囲の吸音性を確実に向上させることができ、快適な居住環境を形成することが可能となる。
【００４１】
また、前記天蓋内側面１０ａに取り付けられる吸音材１３は中高音域の音を吸収するものであることから、前記部屋１内の所定の場所付近の中高音域の音を前記吸音材１３によって確実に吸音することができる。
また、前記天蓋外側面１０ｂに取り付けられる吸音材１４は低音域の音を吸収するものであることから、前記部屋１内の所定の場所付近の低音域の音を前記吸音材１４によって確実に吸音することができる。
これによって、前記部屋１内の所定の場所付近の音を前記吸音材１３および吸音材１４によって確実に吸音することができ、より快適な居住環境を形成することが可能となる。
【００４２】
また、前記吸音天井部１２の上面の周縁部に照明装置１５が設けられているので、例えば前記吸音天井部１２が部屋１の天井付近の高さに設けられることで、この照明装置１５を間接照明として利用することができる。
【００４３】
また、前記吸音天井部１２に設けられた映像表示装置１６は、前記吸音天井部１２に沿って水平な状態から前記吸音壁部１１に沿って垂直な状態までの間で角度調整自在に設定されているので、前記吸音天井部１２の下方にいる人が立った状態や寝た状態で前記映像表示装置１６に表示される映像を鑑賞することができる。
また、前記映像表示装置１６は、この映像表示装置１６に映像を表示することによって、この映像表示装置１６を照明手段として利用することもできる。
【００４４】
また、前記吸音天蓋ユニット１０は、前記吸音天井部１２がベッド５が設置された場所の上方に位置するようにして前記部屋１内に設置されているので、前記天蓋内側面１０ａに取り付けられた吸音材１３と前記天蓋外側面１０ｂに取り付けられた吸音材１４とによって、この寝具５の周囲の音を吸音することができ、この寝具５を利用する人の睡眠環境を快適なものとすることができる。なお、前記ベッド５に限らず、布団でもよいことは言うまでもない。
【００４５】
さらに、前記吸音壁部１１は、前記部屋１の壁３に沿って、かつ、この壁３から所定間隔離間して配置されているので、前記吸音壁部１１と壁３との間に空気層を形成することができる。
また、前記吸音天井部１２は、前記部屋１の天井４に沿って、かつ、この天井４から所定間隔離間して配置されているので、前記吸音天井部１２と天井４との間に空気層を形成することができる。
このような空気層が、前記吸音壁部１１と壁３との間と、前記吸音天井部１２と天井４との間とに形成されるので、これら空気層によって音の伝達を軽減することができる。
特に、低音域の音は、中高音域の音に比して波長が長く、障害物の裏側に回りこむ性質を備えているため、この空気層と前記天蓋外側面１０ｂに取り付けられた吸音材１４とによって、より高い吸音効果を発揮することができる。
【００４６】
なお、前記吸音天蓋ユニット１０は、図示はしないが、前記吸音天井部１２がソファ・椅子等の腰掛けが設置された場所の上方に位置するようにして前記部屋１内に設置されていてもよいものとする。
すなわち、この場合の前記部屋１は、リビングや勉強部屋、視聴覚室として住宅で利用できるだけでなく、執務室として企業・官公庁等で利用することもできる。
そして、このように前記吸音天蓋ユニット１０が、前記吸音天井部１２がソファ・椅子等の腰掛けが設置された場所の上方に位置するようにして前記部屋１内に設置されているので、前記天蓋内側面１０ａに取り付けられた吸音材１３と前記天蓋外側面１０ｂに取り付けられた吸音材１４とによって、この腰掛けの周囲の音を吸音することができ、この腰掛けを利用する人の居住環境を快適なものとすることができる。
【符号の説明】
【００４７】
１  部屋
２  床面
３  壁
４  天井
１０  吸音天蓋ユニット
１０ａ  天蓋内側面
１０ｂ  天蓋外側面
１１  吸音壁部
１２  吸音天井部
１３  吸音材
１４  吸音材
【図１】
2010189917.tif 000003
【図２】
2010189917.tif 000004
【図３】
2010189917.tif 000005